(57)【要約】【課題】ブロックと食害防止装置と海藻カートリッジを備えた藻場造成装置を提供する。【解決手段】  ブロック３０１上に載置され、支柱部分、水平部分から構成される骨組み構造に設置された天井面部材２２１、側面部材２１１と、周辺の一部を内側に凹ませた凹部２４２を設けられ中央が貫通してなるブロック貫通部３０３の上面にあり貫通部を塞ぐようブロック３０１上部に設置された底面部材２４１とにより形成される食害防止装置２０１と、を有する籠付き藻礁。  食害防止装置２０１におけるそれぞれの部材面にネットを張って内部を覆い、ブロック３０１上面に設置される食害防止装置２０１の底面部材２４１の凹部２４２に設置される着脱が可能な海藻カートリッジ２６１とを備える。全ての部材面の着脱が可能である。  底面部材２４１は、全体として十字形をなす。食害防止装置２０１におけるそれぞれの部材面に張られたネットは、全ての部材面の着脱が可能である。【選択図】図１
2017118826.tif 000002
【特許請求の範囲】
【請求項１】
貫通部が設けられるブロックと、
ブロック上に載置され、支柱部分、水平部分から構成される骨組み構造に設置された天井面部材、側面部材と、周辺の一部を内側に凹ませた凹部を設けられ中央が貫通してなるブロック貫通部の上面にあり貫通部を塞ぐようブロック上部に設置された底面部材と、により形成される食害防止装置とを有し、
食害防止装置におけるそれぞれの部材面にネットを張って内部を覆い、
ブロック上面に設置される食害防止装置の底面部材の凹部に設置される着脱が可能な海藻カートリッジとを備える、
籠付き藻礁。
【請求項２】
食害防止装置のそれぞれの部材面においてネットを張って内部を覆い、同時に全ての部材面の着脱が可能である、
請求項１記載の籠付き藻礁。
【請求項３】
底面部材は、全体として十字形をなし、
食害防止装置におけるそれぞれの部材面に張られたネットは、同時に全ての部材面の着脱が可能である、
請求項１又は請求項２のいずれかに記載の籠付き藻礁。
【発明の詳細な説明】
【技術分野】
【０００１】
本発明は、磯焼けの対策として、ブロックや岩により藻場を新しく造成しようとする場合や、過去において海藻を繁茂させることを期待して既に海中に設置されていたが、何らかの理由で藻場造成機能が失われたブロックや岩に対して、藻場造成機能を復活させることを目的に再び藻場を造成させる場合に適用され、海底に設置されたブロックや岩を対象に、藻場を造成しようとする海域の海底に設置され、藻場を造成しようとする海域の自然環境特性に適した海藻を繁茂させることができ、取り扱いが容易で、底生生物の定着も期待できる籠付き藻礁に関する。
更には、本発明の籠付き藻礁は、脱着式の食害防止装置に関する。
籠付き藻礁は、小規模な範囲（数平方メートル）を確実に防ぐことができ、核藻場として利用されることが多い。用いられる網としては、化学繊維製、鋼製、または人工樹脂製等が知られている（水産庁  「改訂  磯焼け対策ガイドライン」参照）。そして、籠付き藻礁は、ブロックと食害防止装置と海藻カートリッジとからなる構成が知られる。
【背景技術】
【０００２】
海底に広がる藻場は、コンブ、アラメ、カジメ、クロメ、ワカメ、アカモク、ヒジキ、ホンダワラ、テングサ等の海底に繁茂する海藻が群生することにより形成される。藻場は、魚介類にとって格好の餌場所、隠れ場、産卵場、仔稚の生育場所となる。また、藻場は、海中の栄養塩類（窒素やリン等）を吸収したり、光合成をして海中の二酸化炭素を酸素に変換したりして、海水を浄化する。さらに、藻場は、波浪を軽減する。加えて、藻場は、海中を泳ぐ魚等の生物のみならず、底生生物（ベントス）の格好の住処となる。
【０００３】
ところが、近年、海藻を食べて育つ食害生物（例えば、ウニ、ブダイ、アイゴ、イスズミ、サザエ、小型巻貝、アメフラシ等）が、藻場を形成する海藻の葉状部を食べ尽くし、藻場が消滅したり縮小したりしていることが報告されている。この現象は、“磯焼け”と呼ばれる。磯焼けは、食害生物による食害のみならず、光不足、高水温、栄養塩不足又は栄養塩過多等によっても生じる。磯焼けが生じると、藻場に魚介類が集まりにくくなる。
その結果、漁獲量が低下したり、藻場での魚介類の育成に不都合が生じたりする。
【０００４】
磯焼けの対策には、食害生物を藻場から除去したり、藻場を網で囲う等により食害生物から藻場を防御したりすることが重要である。また、以前は自然の藻場であった箇所に何らかの理由で磯焼け現象が発生し、そのため藻場が喪失している箇所が数多くある。そのような箇所を再び藻場として回復することが極めて重要である。
【０００５】
また、藻場による上記のような有利な効果に着目し、近年、そもそも藻場が形成されていない海域や、漁業関係者にとってアクセスの良い所望の海域に、新たな藻場を造成しようという動きもある。
【０００６】
食害は藻類の成長時期とは無関係に、幼芽期においても、十分生長した時期においても発生する。従って、食害防止装置を外すという事は、アイゴ・ウニ等の藻食動物に対し無防備の状態になり、出来るだけ避けるのが望ましい。
一方、海藻胞子等の周辺への拡散を考えた場合、細かい網目で製作されたネット等で製作された壁等は無い方が効果的だと思われる。
そのため、食害防止装置は側面部材、天井面部材、底面部材全てが脱着可能な構造とすることが望ましい。従って、基本的には食害防止装置を覆い、内部の海藻を食害から守り、更に、海藻胞子等を周辺に拡散させる海藻成熟時期のみの短期間だけ、取外し可能とすることが望ましい。
【先行技術文献】
【特許文献】
【０００７】
【特許文献１】特開２０１１―１３５８２７号公報
【特許文献２】特開平１１−１３７１１８号公報
【特許文献３】特開２００２−３１５４６７号公報
【特許文献４】実用新案登録３１０９４４７号公報
【特許文献５】特開２００８−５４５５７号公報
【特許文献６】特開２００３―１０２２９６号公報
【発明の概要】
【発明が解決しようとする課題】
【０００８】
特許文献１記載の「増殖礁」は、「手回し式のノブボルトを用いて、上部構造体の構面に設けられた開口部ごとに防護ネットを装着するようにしているので、工具を使用せずに容易に防護ネットを上部構造体に取り付けたり取り外したりすることができる。」ものである（特許文献１［００１２］）。
【０００９】
特許文献１に記載の「増殖礁」は、「周縁部に比べて中央部が上方に突出する台座を有し、該台座の上部が藻類又は珊瑚の生育場及び／又は増殖場とされる下部構造体」からなるものである（特許文献１  請求項１）。
さらに、「周縁部に比べて中央部が上方に突出する台座１３を有し、台座１３の上部が藻類又は珊瑚の生育場及び／又は増殖場とされる下部構造体１１と、柱部１５及び梁部１６から構成される骨組構造からなり、該骨組構造の基礎部位１２ａが台座１３の基部１３ａに嵌合される上部構造体１２と、上部構造体１２に設けられた開口部１７ごとに設置され」、「開口部１７を覆う合成樹脂製の防護ネット１９とを備え、防護ネット１９の周縁部を上部構造体１２に密着させるＦＲＰ製のフラットバー２０と、フラットバー２０を上部構造体１２に固定するノブボルト２２により、防護ネット１９が上部構造体１２に着脱可能に装着されている。」とされる（［要約］［解決手段］）。
【００１０】
そして、「藻類Ｗが着床した増殖プレート２３を台座１３の各段に設置する。増殖プレート２３は、藻類Ｗの胞子が付着した種糸２４を矩形状のプレートの表面に配設したものである。そして、上部構造体１２を下部構造体１１上にセットしてボルトで一体化した後、増殖礁１０を海底に沈設する。」とされる（特許文献１［００２３］）。
更に、「脚部１４から下部構造体１１の直下に進入した波によって増殖礁１０が浮き上がらないようにするため、平面視して台座１３の中心部には、下部構造体１１を上下に貫通する貫通孔１３ｂが設けられている。これにより、下部構造体１１の直下に進入した波は貫通孔１３ｂから上方へ流出し、下部構造体１１の底面に上向きの力が作用することはない。また、貫通孔１３ｂから増殖礁１０内に魚類が侵入しないように、台座１３の頂部は合成樹脂製の防護ネット２６によって覆われている。」との記載がある（特許文献１［００１８］）。
【００１１】
特開平１１−１３７１１８（特許文献２）には、「通気・通水性に富み，微生物の付着を促進し，藻場の増殖環境をつくりだす生物増殖用基盤材を用いた台座（１）上のシエルター（２）および大型海藻種苗糸・ロープ（３）を取り付ける大型海藻種苗糸・ロープ支柱（４）すべてを覆う着脱型藻食動物食害防止ネットカバー（５）から構成され，着脱型藻食動物食害防止ネットカバー（５）は，藻類の幼芽が十分成長した段階で毎年潜水作業によって外され陸上に整備保管される。」の記載がある（特許文献２  請求項１）。
その他、籠付き藻礁に防護ネットを装着する従来例としては、「海中構造物」（特許文献３）、「防護ネット」（特許文献４）、「防護ネット装置」（特許文献５）が知られている。
【００１２】
特開２００３―１０２２９６（特許文献６）には、「海藻類は、一般に比較的浅い海底の岩石表面に着生し、そこで繁殖する。ところが、磯焼け海域では遊走子の供給源となる母藻群が近くに存在せず、しかも着生床となる岩石表面が石灰藻で覆われている場合が多いこと等により、環境的に海藻がきわめて着生し難い状況になっている。また、砂泥質の海域では海藻の生育は元々困難である。したがって、このような磯焼け海域での藻場の再生や砂泥海域での藻場造りにおいては、外部からの海藻の導入を図ることが重要である」との記載がある（特許文献６［０００３］）。
更に、「従来、藻場の造成方法としては、海藻の生育基盤として機能し得る種々の工夫を施したコンクリートブロックなどの構造体（本明細書において、『造成用構造物』という。）を設置し、その構造体表面に海藻が自然着生するのを待って造成する方法が一般的である。しかしながら、これら従来方法では、遊走子を介した自然着生に依存するため、特に重要な造成初期における海藻の着生状態が不確定な自然的要素によって大きく左右されるばかりか、藻場造成に時間がかかるといった造成効率や確実性の点において根本的な問題があり、それら造成用構造物が有効に活用されない事例が多かった。」との記載がある（特許文献６［０００４］）。
【００１３】
他方、食害防止装置内に設置される海藻カートリッジは、外周部近くに設置すると、海藻は流れで揺れ動くのでカゴ部分あるいは防護ネット等に接触する可能性が高く、海藻自体を傷つけて、死んでしまう可能性が高い。そのため、海藻は外周部より離して設置する必要がある。すなわち、食害防止装置内に設置される海藻カートリッジに植えられる海藻は、ネット部材等に触れないようにする必要がある。
また、コンクリート等からなるブロックに底部から海水が通水可能として、揚力によりブロック全体が持ち上げるのを防ぐため等の目的で孔が設けてある場合は、海藻カートリッジを籠付き藻礁の孔部との関係で孔部より離しているのは、海藻カートリッジをインサートアンカーで取り付けることを予定しているが、あまりコンクリートのヘリに近づけると、コンクリートが剥がれて破損する可能性が高いため、それを防止するためであり、海藻カートリッジは孔部コンクリートのヘリより離す必要がある。
【００１４】
大きな食害の原因としては、魚・ウニが考えられる。
魚に対しては、成魚になるとその被害も大きく、幼魚の場合はそれほどでもないと言われている。したがって、ネットの網目は５０ｍｍ程度で良いと言われている。小魚は当然入るが、その被害は小さいと言われている。
一方、ウニの場合はそれよりも小さくする必要があり、大きくても３０ｍｍ程度といわれている。ウニの場合は、どんなに網目を細かくしても、侵入を防ぐことは極めて困難である。
すなわち、対象とするものによって網目の大きさを変える必要があるが、そのためには、食害防止装置は部品の一部を変えることが必要である。
【００１５】
更に、籠付き藻礁全体が、大きな重量を有すると、地上及び海上に於ける各種作業を行うに際し、クレーン船による作業が必要となり費用が嵩む課題を有する。
台風等による激浪による浮泥等・大雨による河川からの浮泥等が食害防止装置内の海藻に付着した場合や、その他何らかの理由で食害防止装置内の清掃等の作業が必要になった場合においても、クレーン船による作業が必要となり費用が嵩む課題を有する。
【００１６】
本願発明では、これらの課題を解決することを目的としている。
特に、食害、海藻の寿命等何らかの理由で食害防止装置内の海藻が衰退した場合にも、食害防止装置の側面部材等の脱着性・海藻カートリッジの脱着性のために、容易に食害防止装置内の海藻を交換・再生できることを目的としている。
更に、食害防止装置の側面部材等の脱着性のために、側面部分を取り外すことで、何らかの理由で食害防止装置内に入り込んだ藻食動物の駆除・装置内の清掃作業等のための食害防止装置内外の連続した一体的な空間が確保され、作業性の向上に繋げるのも他の目的とする。
【課題を解決するための手段】
【００１７】
本発明は、上記の点を鑑みてなされたものであり、本発明の籠付き藻礁は、
貫通部が設けられるブロックと、
ブロック上に載置され、支柱部分、水平部分から構成される骨組み構造に設置された天井面部材、側面部材と、周辺の一部を内側に凹ませた凹部を設けられ中央が貫通してなるブロック貫通部の上面にあり貫通部を塞ぐようブロック上部に設置された底面部材と、により形成される食害防止装置とを有し、
食害防止装置におけるそれぞれの部材面にネットを張って内部を覆い、
ブロック上面に設置される食害防止装置の底面部材の凹部に設置される着脱が可能な海藻カートリッジとを備える。
【００１８】
あるいは、
本発明の籠付き藻礁は、更に、
食害防止装置のそれぞれの部材面においてネットを張って内部を覆い、同時に全ての部材面の着脱が可能である。
【００１９】
あるいは、
本発明の籠付き藻礁は、更に、
底面部材は、全体として十字形をなし、
食害防止装置におけるそれぞれの部材面に張られたネットは、同時に全ての部材面の着脱が可能である。
【発明の効果】
【００２０】
本発明によれば、海藻が繁茂している藻場及びその近傍に海藻カートリッジを放置してこの海藻カートリッジの着生基材に海藻を着生させ、藻場を造成しようとする海域の自然環境特性に適した海藻を繁茂させることができる。
籠付き藻礁の食害防止装置を形成する天井面部材、側面部材、底面部材の全ての部材面の着脱が可能としたときは、食害防止装置を構成する多くの部材面を海中で取外すことができる。食害防止装置を構成する多くの部材面の着脱性のために、取外すことで何らかの理由で食害防止装置内に入り込んだ藻食動物の駆除・装置内の清掃作業等のための食害防止装置内外の連続した一体的な空間が確保され、作業性の向上に繋げる。
更に、魚類あるいはウニ等対象とするものによって、ネットの網目の大きさを変える必要があるが、その際に食害防止装置の部品の一部のみを変えることで対応可能となる。
【００２１】
海藻カートリッジを食害防止装置から離し、食害防止装置内の海藻が、壁に接触し損傷を受ける可能性をより減じることができる。ブロック貫通部を塞ぐ食害防止装置の底面部材の形状を略十字形にした場合、より良好な海藻カートリッジの設置位置を確保することができる。
食害防止装置内の設置される海藻カートリッジに着生・生長した海藻を、外周部より離すことで、食害防止装置のネット部材等に接触する可能性を下げ、海藻自体を傷つけて、死んでしまうことを避けることが可能となる。
【図面の簡単な説明】
【００２２】
【図１】実施の形態における実施例のブロックに固定された状態の籠付き藻礁の斜視図である。
【図２】実施の形態における実施例に係る籠付き藻礁の平面断面図である。
【図３】実施の形態における実施例に係る籠付き藻礁の主アングル及びブロックの正面図である。
【図４】実施の形態における実施例に係る籠付き藻礁の底面部材の平面図である。
【図５】実施の形態における実施例に係る籠付き藻礁の底面部材及びネット部材の平面図である。
【図６】実施の形態における実施例に係る籠付き藻礁の海藻カートリッジの斜視図である。
【図７】実施の形態における実施例に係る籠付き藻礁の海藻カートリッジの側面図である。
【図８】実施の形態における実施例に係る籠付き藻礁の海藻カートリッジの平面図である。
【図９】実施の形態における実施例に係る籠付き藻礁の下部材に削孔した穴を利用してネット材と下部材を結束させた使用状態の斜視図である。
【図１０】実施の形態における実施例に係る籠付き藻礁の側面部材の断面図である。
【発明を実施するための形態】
【００２３】
実施形態を、図面に基づいて説明する。
この実施の形態では、籠付き藻礁１０１は、ブロック３０１と、食害防止装置２０１と、海藻カートリッジ２６１よりなる。食害防止装置２０１は、支柱部分２３１、水平部分２３３から構成される骨組み構造である主アングルＡに設置された天井面部材２２１、４面の側面部材２１１と、略十字型からなる底面部材２４１とよりなる。
食害防止装置２０１により形成される空間は、ブロック３０１上面、且つ食害防止装置２０１の底板部材２４１、４面の側面部材２１１、天井面部材２２１により、完全に食害を防ぐために形成された海藻を守るための空間である。天井面部材２２１、側面部材２１１、底面部材２４１はすべて、上部材２１５と、ネット部材２１２と、下部材２１３よりなる。
天井面部材２２１と側面部材２１１は支柱部分２３１、水平部分２３３で構成される骨組み構造の主アングルＡにステンレス製のボルト、ナットで一体化される。食害防止装置２０１を構成する底面部材２４１は、離れて独立した部材である。
【００２４】
図１は、ブロック３０１に固定された籠付き藻礁１０１の斜視図である。
ブロック３０１は籠付き藻礁１０１の一部を構成し、消波等を目的として、海底ＢＳに配置されるものである。ブロック３０１は、直方体形状の基礎部３０２を有する。基礎部３０２の中央には、上下方向に貫通するブロック貫通部３０３である貫通部が設けられる。コンクリート等からなるブロック３０１に底部から海水が通水可能として、揚力によりブロック３０１全体が持ち上げるのを防ぐため等の目的でブロック貫通部３０３が設けてある。
基礎部３０２の四隅のそれぞれから八角柱状の脚部３０４が延びる。脚部３０４は、基礎部３０２から下方向に突出する。ブロック３０１は、例えば、レディミクストコンクリートを用いて形成される。そして、ブロック３０１は、藻場を造成しようとする所望の海域に、各脚部３０４の下方の端面を海底ＢＳに接しさせて、上面３０２ａが略水平に向くよう配置される。ブロック３０１は、その自重によって、海流に押されても動かない。
【００２５】
籠付き藻礁１０１は、所望の海域に藻場を造成するためのものである。本実施の形態の籠付き藻礁１０１の一部を構成するブロック３０１は、平面視で略矩形形状に見える扁平形状をなしている。この籠付き藻礁１０１の一部を構成する食害防止装置２０１はブロック３０１の平面状の上面３０２ａに平置きされて、ブロック３０１に固定取付された状態で用いられる。
籠付き藻礁１０１からは、藻場を構成する海藻が生育する。海藻は、海中ではためいて、魚介類にとって格好の餌場所、隠れ場、産卵場、仔稚の生育場所となる。海藻は、その生育によって、海中の栄養塩類（窒素やリン等）を吸収する。さらに、海藻は、海面から降り注ぐ太陽光を受けて光合成をし、海中の二酸化炭素を酸素に変換して、海水の浄化に寄与する。また、海藻は、ブロック３０１とともに、波浪の軽減に寄与する。
【００２６】
食害防止装置２０１の内、天井面部材２２１と４面の側面部材２１１は、ステンレス製のボルトナットで主アングルＡに固定した構造である。この実施例では、食害防止装置２０１は底面が開口した６面からなる。側面部材２１１は、食害防止装置２０１の側面４面に設けられる。
天井面部材２２１は、側面部材２１１の上端部上に設置される。
２３１は、支柱部分である。２３３は、水平部分である。支柱部分２３１及び水平部分２３３で主アングルＡの骨格部分、フレームを構成する。側面部材２１１、天井面部材２２１は、面として主アングルＡに取り付けられる。
全てをネットで覆うように側面部材２１１のネット部材２１２、及び天井面部材２２１のネット部材２１２は、それぞれ、側面部材２１１、天井面部材２２１の面に独立して取り付けられる。
２３２は、板状底板である。板状底板２３２は、板状体からなり、支柱部分の底部の四隅と中間部において主アングルＡに溶接で固定され、ブロック３０１表面の上面３０２ａにケミカルアンカー等で取り付けられることで、食害防止装置２０１の内、天井面部材２２１と４面の側面部材２１１をブロック３０１に固定させる。
主アングルＡは、台風等の激浪に耐えるように、アングルが溶接された一体構造である。主アングルＡは、溶接した板状底板２３２を介して、ブロック３０１にケミカルアンカー等で固定することで、食害防止装置２０１の安定を図ったものである。
【００２７】
Ｂは、作業孔である。作業孔Ｂは、鉄板からなる下部材２１３とネット部材２１２を貫通するように、設けられる。
側面部材２１１、天井面部材２２１は、それぞれ下部材２１３とネット部材２１２を結束バンド２１４で下部材２１３、ネット部材２１２を結束させるための作業孔Ｂを通して結束させた状態で積層して取り付けられる。その際、結束させる結束バンド２１４は複数本で、結束させる方向が異なることが望ましい。これはネット部材２１２が動揺し、側面部材等の製作が困難であった事から、一体化しておき、作業性の向上を図るためである。
下部材２１３、ネット部材２１２、結束バンド２１４と上部材２１５は主アングルＡにステンレス製ボルト２１６で取り付けられる。図１０に図示される２１９はステンレス製のナットであり、ステンレス製ボルト２１６に取り付けられる。同じく２１８は、ステンレス製の座金であり、２２０は、絶縁ワッシャーである。
【００２８】
側面部材２１１、天井面部材２２１、底面部材２４１はすべて、下部材２１３とネット部材２１２、及び、上部材２１５に２分割され、揺れ動きしないとともに、重量の軽減化が図られる。ただし、底面部材２４１が小型である場合等は、下部材２１３とネット部材２１２と上部材２１５を一体として製作しても構わない。
下部材２１３とネット部材２１２と上部材２１５をまとめて作ってもよいが、この実施例では、重量軽減化を図るために、側面部材２１１、天井面部材２２１、底面部材２４１は、下部材２１３とネット部材２１２、および、上部材２１５に２分割する。
２２３は、天井面部材２２１を構成する下部材に溶接されたフラットバーである。フラットバー２２３は、天井面部材２２１を構成する下部材２１３にネット部材２１２を張るときに、このフラットバー２２３で支え、作業が効率的に出来るために取り付ける。
【００２９】
側面部材２１１はそれぞれ独立したものであるため、各部材は軽量なものとなり、必要なときに必要な側面部材２１１のみを脱着することが可能となる。クレーン船といった大掛かりな工事は要さず、ダイバーと漁船の組合せという極めて簡単な作業で取外し、取付けが可能となる。
脱着するのは、側面部材２１１、天井面部材２２１、底面部材２４１の全てであり、小型の窓様を脱着するのでは食害防止装置２０１内における作業性の向上にはつながらない。
更に、魚類あるいはウニ等対象とするものによって、ネットの網目の大きさを変える必要があるが、本発明では、その際に食害防止装置２０１の部品の一部のみを変えることで対応可能となる。
側面部材２１１、天井面部材２２１、底面部材２４１を脱着することで、食害防止装置２０１内外を一体的な空間として使用でき、食害防止装置２０１内における各種作業の作業性が高まる。
【００３０】
２４１は、食害防止装置２０１の内の底面部材である。底面部材２４１は、板状の金属板からなる。底面部材２４１は、下部材２１３とネット部材２１２及び、上部材２１５に２分割されて積層して取り付けられ、ブロック３０１中央部の孔部を塞ぐ形でブロック３０１上に載置される。
底面部材２４１は、周辺の一部、この実施例では、隅部を内側に凹ませ、内側に凹ませた凹部２４２を設けられる。更に、底面部材２４１は、中央が貫通してなる底面部材貫通部２４３を有する。底面部材貫通部２４３は、ブロック３０１に設けられたブロック貫通部３０３に、位置を合せてブロック３０１上に載置され、全体として中空の十字型をなす。
２５１は、底面部材２４１を構成する底面ネット部材である。底面ネット部材２５１は、ネットからなり、全体として中空の十字型をなし、底面部材２４１に積層して取り付けられる。底面部材２４１は、ブロック３０１中央部に設けられたブロック貫通部３０３を覆うように、ブロック３０１上に載置され、底面部材貫通部２４３を底面ネット部材２５１で覆い、ブロック貫通部３０３を塞ぐ。
【００３１】
２６１は、海藻カートリッジである。海藻カートリッジ２６１は、図１においては概略図で図示したが、詳細は図６に図示する。海藻カートリッジ２６１には、海藻が植栽される。海藻カートリッジ２６１は、食害防止装置２０１の内の底面部材２４１の各隅部に設けられた凹部２４２に合せて位置決めして、ブロック３０１上に設置固定される。
海藻カートリッジ２６１は、既に出願人他が提案した特開２０１４−２２６０７５「藻場造成装置、立体型カートリッジ及びカートリッジ受け具」に準じるものであるが、図６乃至図８に図示されるように、詳細には立体型カートリッジ２６３及びカートリッジ受け具２６２とからなる。
海藻カートリッジ２６１のカートリッジ受け具２６２外側辺と外側辺に対向する内側辺の２か所から水平に舌状に突出させた２６４に予め削孔していた孔にインサートアンカー等でカートリッジ受け具２６２をブロック３０１上に設置固定させる。
【００３２】
食害防止装置２０１内の海藻は、側面部材２１１のネット部材２１２に触れないようにすることが重要である。食害防止装置２０１内に設置される海藻カートリッジ２６１の設置位置は、外周部近くに置くと、海藻は流れで揺れ動くので側面部材２１１のカゴ部分に接触する可能性が高く、海藻自体を傷つけて、死んでしまう可能性が高いために、食害防止装置２０１内の設置される海藻カートリッジ２６１に植えられる海藻は、側面部材２１１のネット部材２１２に触れないように、外周部より離す必要がある。
底面部材貫通部２４３を覆う底面部材２４１を略十字形にすることで、凹部２４２を作ることができ、できるだけ食害防止装置２０１の側面部材２１１から離して海藻カートリッジを設置することが可能となった。
【００３３】
籠付き藻礁１０１のブロック貫通部３０３との関係では、ブロック貫通部３０３、食害防止装置２０１の底面部材貫通部２４３より離しているのは、海藻カートリッジ２６１をインサートアンカーで取り付けることを想定しているが、あまりコンクリートのブロック貫通部３０３のヘリに近づけると、ブロック３０１のコンクリートが剥がれて破損する可能性が高いため、それを防止する意味でブロック貫通部３０３のコンクリートのヘリより離している。
立体型カートリッジ２６３及びカートリッジ受け具２６１という２つに分離された脱着式海藻カートリッジ２６１を内部に具備し、それを囲う脱着式の側面部材２１１、天井面部材２２１等よりなる食害防止装置２０１をブロック３０１上部に設置し、側面部材２１１のネット部材２１２、天井面部材２２１等のネット部材２１２より食害装置２０１内部の海藻を食害より守り、食害防止装置２０１内の海藻成熟時期には側面部材２１１、天井面部材２２１を取り外し、海藻遊走子等が周辺へ拡散し、周辺において藻場の造成を図ることができる。
【００３４】
以下、籠付き藻礁１０１の使用方法について説明する。
まず、海藻カートリッジ２６１の立体型カートリッジ２６３に海藻胞子等を着生させる。これは、これから藻場を造成しようとする海域の近傍に形成されている天然藻場内に海藻成熟時期に合せて、まだ海藻が着生していない状態の海藻カートリッジ２６１を配置し、数カ月間、あるいは、それ以上の期間放置しておくことにより実現される。このとき、海藻カートリッジ２６１は、藻場内のみならず、この藻場の近傍に配置されてもよい。これは、藻場を構成する海藻より発生する胞子等が、海流により藻場の近傍まで広がることが考えられるからである。さらに、陸上施設で海藻胞子等を着生させてもよい。一例として、海藻カートリッジ２６１は、海藻の生育時期にあたる冬から初夏にかけて、藻場及びその近傍に放置される。海藻カートリッジ上の海藻はその後、生長して、海藻それ自身が新たな胞子等を出す、いわゆる「母藻」となる。
【００３５】
本実施の形態では、藻場を造成しようとする海域の近傍に生息している天然藻場や陸上施設で目的とする海藻胞子等を立体型カートリッジ２６３に着生させてカートリッジ受け具２６２に装着できこの海域の自然環境特性に適した海藻を繁茂させることができる。
海藻カートリッジ２６１で生育した海藻が枯れたり食害生物に食べ尽くされたりした場合に、容易に交換できる。
本実施の形態の籠付き藻礁１０１でも、藻場を造成しようとする海域の自然環境特性に適した海藻を繁茂させることができ、取り扱いが容易で、底生生物の定着も期待できる。
【００３６】
食害防止装置２０１の底面部材２４１の底面ネット部材２５１を、ブロック３０１中央部に設けられたブロック貫通部３０３上に載置し、底面部材貫通部２４３を底面部材２４１の底面ネット部材２５１で覆い、ブロック貫通部３０３を塞ぐ。
海藻カートリッジ２６１を壁から離し、食害防止装置２０１の底面部材２４１の凹部２４２に合せて、位置決めして固定する。食害防止装置２０１内の海藻が、壁に接触し損傷を受ける可能性をより減じるために、底面部材貫通部２４３を塞ぐネット材の形状を略十字形にし、より良好な海藻カートリッジの設置位置を確保しカートリッジ受け具２６１をインサートアンカー等で固定する。
食害防止装置２０１を、天井面部材２２１、側面部材２１１を外した状態で、ブロック３０１に固定し、海底へ設置する。
なお、天井面部材等一部の面部材を取り付けた状態で海底へ設置しても良い。
その後、カートリッジ２６３および残りの面部材を取り付ける。
もちろん、本籠式藻礁を構成する多くの部材の脱着性を生かした適切な他の使用法に基づく使用も構わない。
【００３７】
食害防止装置２０１の外周部は一体構造にしたが、それを覆う側面部材２１１、天井面部材２２１等は、小型軽量の多くの部材からなる構造にし、その部材毎に食害防止装置２０１の外周部と固定することで、必要な時期に必要な箇所の部材のみを取り外すことが出来る。
上記部材は小型軽量であるため、クレーン船による作業といったものは必要なく、基本的にダイバーと漁船での作業が可能になる。
台風等による激浪による浮泥等・大雨による河川からの浮泥等が食害防止装置２０１内の海藻に付着した場合や、その他何らかの理由で食害防止装置２０１内の清掃等の作業が必要になった場合においても、簡単に必要な面の必要な部材のみを取り外すことで、食害防止装置２０１内外が一体的な作業空間になり作業の容易性を確保した。
【００３８】
また、打ち込みアンカーによる取り付け方法によれば、籠付き藻礁１０１をブロック３０１や岩のみならず、人工リーフの上面や傾斜面、護岸、防波堤の被覆ブロック３０１等にも取り付けることができる。
【符号の説明】
【００３９】
１０１    籠付き藻礁
２０１    食害防止装置
２１１    側面部材
２１２    ネット部材
２２１    天井面部材
２４１    底面部材
２４２    凹部
２４３    底面部材貫通部
２５１    底面ネット部材
２６１    海藻カートリッジ
３０１    ブロック
３０３    ブロック貫通部
ＢＳ      海底
【図１】
2017118826.tif 000003
【図２】
2017118826.tif 000004
【図３】
2017118826.tif 000005
【図４】
2017118826.tif 000006
【図５】
2017118826.tif 000007
【図６】
2017118826.tif 000008
【図７】
2017118826.tif 000009
【図８】
2017118826.tif 000010
【図９】
2017118826.tif 000011
【図１０】
2017118826.tif 000012